(57)【要約】【課題】  長尺な受枠に嵌め込まれる蓋が複数枚の蓋体によって構成され、一部の蓋体にのみ施錠手段が備えられ、しかも、蓋体を受枠に使い勝手よく着脱することができるようにした長尺開口用マンホールを提供する。【解決手段】  本長尺開口用マンホールは、対向する一対の長辺部１０ａと短辺部１０ｂとによって矩形状に成形され、内側に長尺な開口部１１を設ける受枠１０と、該受枠１０に嵌め込まれる蓋２０とを備えている。そして、蓋２０は、施錠手段３０を有する第１の蓋体２１と、両端部２３ａに被係止部である突出部２４ａを設けた第２の蓋体２２ａとによって構成されている。また、前記受枠１０は、嵌め込まれた前記第２の蓋体２２ａの突出部２４ａの上側に突出するように係止する係止部１５を備えている。【選択図】  図１
2006307443.tif 000002
【特許請求の範囲】
【請求項１】
対向する一対の長辺部と短辺部とによって矩形状に成形された受枠と、該受枠に嵌め込まれる蓋とを備えている長尺開口用マンホールであって、
前記蓋は、施錠手段を有する第１の蓋体と、両端部に被係止部を設けた第２の蓋体とによって構成され、前記受枠は、嵌め込まれた前記第２の蓋体の被係止部を係止する係止部が設けられていることを特徴とする長尺開口用マンホール。
【請求項２】
前記被係止部は、第２の蓋体の両端部から突出した突出部によって形成されていることを特徴とする請求項１に記載の長尺開口用マンホール。
【請求項３】
前記第２の蓋体は、鉛直姿勢で対向する一対の側板と両端部に設けられた一対の端板とを備え、該端板が各側板の端縁よりも内側に形成され、先端面が側板の端縁とほぼ同一面となるように前記端板から突出している突出部によって前記被係止部が形成されていることを特徴とする請求項２に記載の長尺開口用マンホール。
【請求項４】
前記第２の蓋体は、鉛直姿勢で対向する一対の側板と両端部に設けられた一対の端板とを備え、該端板に設けられた溝部によって前記被係止部が形成され、該溝部が前記端板の下端縁から上向きに設けられた縦方向の溝部と該縦方向の溝部に連続する横方向の溝部とを有していることを特徴とする請求項１に記載の長尺開口用マンホール。
【請求項５】
前記受枠の長辺部には、前記第２の蓋体の各側板の端部を支承する突条が突設されていることを特徴とする請求項３または４に記載の長尺開口用マンホール。
【請求項６】
前記被係止部は、第２の蓋体の端部のほぼ中心に設けられていることを特徴とする請求項１から５のいずれか一つに記載の長尺開口用マンホール。
【請求項７】
前記被係止部は、第２の蓋体の端部に複数設けられていることを特徴とする請求項１から５のいずれか一つに記載の長尺開口用マンホール。
【請求項８】
前記施錠手段は、方向転換する鉤形状の突片を備え、
前記受枠は、前記突片の上側に突出する係止片が設けられていることを特徴とする請求項１から７のいずれか一つに記載の長尺開口用マンホール。
【請求項９】
前記被係止部および係止片は、受枠の長辺部に等間隔に設けられていることを特徴とする請求項８に記載の長尺開口用マンホール。
【請求項１０】
前記係止片は、受枠の短辺部に設けられていることを特徴とする請求項８に記載の長尺開口用マンホール。
【発明の詳細な説明】
【技術分野】
【０００１】
本発明は、例えば共同溝に連通する地面に設置される長尺開口用マンホールに関し、詳しくは、長尺な矩形状の受枠に複数の蓋体が一列に嵌め込まれる長尺開口用マンホールに関する。
【背景技術】
【０００２】
電線やガス管その他のライフラインをまとめて地中に収容する共同溝は、長尺開口用マンホールによって地上と連通している。この長尺開口用マンホールには、矩形状の受枠に複数枚の蓋体を一列に嵌め込み、防犯対策として、施錠手段を備えたものがある。
【０００３】
各蓋体に施錠手段が備えられると、コストアップとなるだけでなく、施錠・開錠の作業が面倒である。そこで、蓋体が複数枚であっても施錠手段を少なくした共同溝用蓋施錠装置が特許文献１に開示されている。
【０００４】
この共同溝用蓋施錠装置は、長尺な開口部を設ける矩形状の受枠の長手方向両側に蓋受棚が形成され、この蓋受棚に矩形状の蓋体（特許文献１では「蓋」と表記）の下縁が支持される。そして、例えば４枚の蓋体が配列されることによって開口部が塞がれる。特定の１枚の蓋体に施錠手段が設けられ、他の３枚の蓋体の底面に蓋受棚の下側へ屈曲している開放防止金具が設けられ、この開放防止金具を通過させる切欠部が一定の間隔を空けて前記蓋受棚に形成されている。
【０００５】
この共同溝用蓋施錠装置は、複数枚の蓋体によって開口部が塞がれるが、特定の蓋体が施錠手段によって施錠されると、この特定の蓋体が持ち上げられないだけでなく、他の蓋体も開放防止金具が蓋受棚の下面と係合することによって持ち上げられない。そして、特定の蓋体の施錠手段を操作して開錠すると、特定の蓋体が持ち上げられる。続いて、開放防止金具が切欠部に対向するまで他の蓋体をスライドさせると、この他の蓋体が持ち上げられ、開口部が完全に開けられる。
【０００６】
【特許文献１】登録実用新案第３１０３８１１号公報
【発明の開示】
【発明が解決しようとする課題】
【０００７】
特許文献１に開示された共同溝用蓋施錠装置は、切欠部が蓋受棚に形成されているため、蓋体が受枠に嵌め込まれている状態において、切欠部を目視することができない。したがって、この共同溝用施錠装置は、他の蓋体に設けられた開放防止金具が切欠部と対向するようにスライドさせることが困難で、他の蓋体を持ち上げる作業に手間取ることがある。
【０００８】
したがって、開放防止金具が切欠部と対向する位置で、他の蓋体を停止させるストッパーを受枠に設けた共同溝用蓋施錠装置も特許文献１に開示されている。しかし、開放防止金具がストッパーに当接すると、これ以上、他の蓋体はスライドすることができず、この共同溝用蓋施錠装置は周囲の状況によって使い勝手が悪いものとなっている。
【０００９】
そこで、本発明は、矩形状の受枠に嵌め込まれる蓋が複数枚の蓋体によって構成され、一部の蓋体にのみ施錠手段が備えられ、しかも、蓋体を受枠に使い勝手よく着脱することができるようにした長尺開口用マンホールを提供することを課題とする。
【課題を解決するための手段】
【００１０】
本発明に係る長尺開口用マンホールは、対向する一対の長辺部と短辺部とによって矩形状に成形された受枠と、該受枠に嵌め込まれる蓋とを備えている長尺開口用マンホールであって、前記蓋は、施錠手段を有する第１の蓋体と、両端部に被係止部を設けた第２の蓋体とによって構成され、前記受枠は、嵌め込まれた前記第２の蓋体の被係止部を係止する係止部が設けられていることを特徴としている。
【００１１】
この長尺開口用マンホールによれば、第２の蓋体が受枠に嵌め込まれた状態において、第２の蓋体の両端部に設けられた被係止部が、受枠に設けられた係止部に係止され、この第２の蓋体は上方に持ち上げられない。また、第２の蓋体の隣に施錠手段を有する第１の蓋体が受枠に嵌め込まれている状態において、第２の蓋体は、横方向にスライドすることができない。したがって、第２の蓋体は、第１の蓋体が施錠された状態において受枠から取り外されることがない。一方、施錠手段を有する第１の蓋体は、施錠されることによって、受枠から取り外されることがない。そして、施錠手段が開錠されると、第１の蓋体は受枠から上方に持ち上げられて取り外される。すると、第２の蓋体は、被係止部が受枠の係止部から外れるまでスライドすることができ、上方に持ち上げられて取り外される。
【００１２】
また、前記本発明に係る長尺開口用マンホールにおいて、前記被係止部は、第２の蓋体の両端部から突出した突出部によって形成されていることが好ましい。
【００１３】
この長尺開口用マンホールによれば、被係止部が第２の蓋体の両端部から突出した突出部によって形成されることにより、受枠に設けられた係止部もこの突出部と同じ幅の凸部によって形成することができる。したがって、第２の蓋体が受枠の所定の位置に嵌め込まれた状態において、被係止部の上側に係止部が位置しているが、第２の蓋体がわずかにスライドするだけで、被係止部は係止部から外れ、第２の蓋体を上方に持ち上げて受枠から取り外すことができる。
【００１４】
また、前記本発明に係る長尺開口用マンホールにおいて、前記第２の蓋体は、鉛直姿勢で対向する一対の側板と両端部に設けられた一対の端板とを備え、該端板が各側板の端縁よりも内側に形成され、先端面が側板の端縁とほぼ同一面となるように前記端板から突出している突出部によって前記被係止部が形成されていることが好ましい。
【００１５】
この長尺開口用マンホールによれば、第２の蓋体は、両端部に設けられた一対の端板が側板の端縁よりも内側に形成されることにより、被係止部の先端面が側板の端縁とほぼ同一面となるように端板に設け、受枠に嵌め込むことができる。なお、被係止部の先端面が側板の端縁とほぼ同一面とは、完全に同一の場合ないし被係止部の先端面が側板の端縁よりもわずかに奥まっていることをいう。
【００１６】
また、前記本発明に係る長尺開口用マンホールにおいて、前記第２の蓋体は、鉛直姿勢で対向する一対の側板と両端部に設けられた一対の端板とを備え、該端板に設けられた溝部によって前記被係止部が形成され、該溝部が前記端板の下端縁から上向きに設けられた縦方向の溝部と該縦方向の溝部に連続する横方向の溝部とを有していてもよい。
【００１７】
この長尺開口用マンホールによれば、被係止部が端板に設けられた溝部によって形成されている。そして、受枠に突出している係止部は、実際は固定されているが、相対的に見ると、端板の下端から縦方向の溝部内に入り込み、第２の蓋体がスライドすることにより、横方向の溝部内に入り込む。この係止部は、横方向の溝部内で上下方向に移動することができない。したがって、溝部を形成した第２の蓋体は、係止部が横方向の溝部内に入り込んでいる状態において持ち上げられず、したがって、受枠から取り外されることがない。そして、第２の蓋体がスライドされ、係止部が縦方向の溝部に位置すると、第２の蓋体は、持ち上げられ、係止部が縦方向の溝部から外れることにより、受枠から取り外される。
【００１８】
また、前記本発明に係る長尺開口用マンホールにおいて、前記受枠の長辺部には、前記第２の蓋体の各側板の端部を支承する突条が突設されていることが好ましい。
【００１９】
この長尺開口用マンホールによれば、第２の蓋体の各側板の端部が受枠の長辺部に突設された突条に支承されることにより、各側板が受枠の各長辺部に架け渡され、第２の蓋体が受枠に嵌め込まれる。
【００２０】
また、前記本発明に係る長尺開口用マンホールにおいて、前記被係止部は、第２の蓋体の端部のほぼ中心に設けられていることが好ましい。
【００２１】
この長尺開口用マンホールによれば、第２の蓋体の被係止部が第２の蓋体の端部のほぼ中心に設けられることにより、被係止部は点対称に位置するため、第２の蓋体は向きを考慮することなく受枠に嵌め込むことができる。また、被係止部を係止する係止部を受枠に等間隔で設けることができる。
【００２２】
また、前記本発明に係る長尺開口用マンホールにおいて、前記被係止部は、第２の蓋体の端部に複数設けられていてもよい。
【００２３】
この長尺開口用マンホールによれば、被係止部が第２の蓋体の端部に複数、例えばペアで設けられることにより、ペアの被係止部を係止する係止部がペアで受枠に等間隔に設けられる。そして、後記の施錠手段に備えられた突片を係止する係止片がこのペアの係止部間に等間隔に設けられる。したがって、施錠手段が第１の蓋体の中心線上に配置され、第１の蓋体と第２の蓋体とを受枠の任意の位置に嵌め込むようにすることができる。
【００２４】
また、前記本発明に係る長尺開口用マンホールにおいて、前記施錠手段は、方向転換する鉤形状の突片を備え、前記受枠は、前記突片の上側に突出する係止片が設けられていることが好ましい。
【００２５】
この長尺開口用マンホールによれば、施錠手段は、突片が係止片の下側に位置すると、施錠した状態となり、第１の蓋体を受枠から持ち上げることができず、突片が方向転換して係止片の下側から外れると、開錠した状態となり、第１の蓋体を受枠から持ち上げることができる。
【００２６】
また、前記本発明に係る長尺開口用マンホールにおいて、前記被係止部および係止片は、受枠の長辺部に等間隔に設けられていることが好ましい。
【００２７】
この長尺開口用マンホールによれば、受枠の長辺部に被係止部と係止片とが等間隔に設けられていることにより、第１の蓋体と第２の蓋体とを受枠の任意の部位に嵌め込むことができる。なお、被係止部と係止片とが等間隔に設けられるため、被係止部が第２の蓋体の端部のほぼ中心に設けられる場合には、施錠手段は第１の蓋体の端部の中心から外れて備えられ、被係止部が２個や４個のように偶数対設けられる場合には、施錠手段は第１の蓋体の端部の中心に設けることもできる。
【００２８】
また、前記本発明に係る長尺開口用マンホールにおいて、前記係止片は、受枠の短辺部に設けられていてもよい。
【００２９】
この長尺開口用マンホールによれば、施錠手段は受枠の短辺部と対向する第１の蓋体の長辺側に備えられ、鉤状の突片が、受枠の短辺部に設けられた係止片の方を向くことにより施錠される。なお、第１の蓋体も、第２の蓋体と同じく、鉛直姿勢で対向する一対の側板と両端部に設けられた一対の端板とを備えていると、この施錠手段は側板に備えられる。
【発明の効果】
【００３０】
本発明によれば、矩形状の受枠に嵌め込まれる蓋が、施錠手段を有する第１の蓋体と、両端部に被係止部を設けた第２の蓋体とによって構成され、第１の蓋体と第２の蓋体が受枠に嵌め込まれた状態において、受枠に設けられた係止部が第２の蓋体の被係止部を係止することにより、第１の蓋体の施錠手段が施錠されると、第２の蓋体が受枠から取り外されることがない。また、第１の蓋体の施錠手段を開錠し、第１の蓋体を受枠から取り外すと、第２の蓋体は、被係止部が係止部から外れるようにスライドさせるだけで受枠から取り外すことができる。
【００３１】
したがって、この長尺開口用マンホールは、蓋体を受枠に極めて容易に着脱することができ、また、施錠手段が第１の蓋体にのみ備えられることにより、施錠・開錠の操作を含めて、蓋体を受枠に着脱する作業性を向上させることができる。
【発明を実施するための最良の形態】
【００３２】
本発明に係る長尺開口用マンホールの第１の実施形態について図１ないし図５を参照しながら説明する。この長尺開口用マンホールは、矩形状に成形された受枠１０と、この受枠１０に嵌め込まれる蓋２０とを備えている。
【００３３】
受枠１０は、一対の長辺部１０ａと一対の短辺部１０ｂとが対向する矩形状に形成され、内側が長尺な開口部１１とされている。そして、受枠１０は、壁状部１２と座部１３とが断面形状がＬ字形に一体成形され、長辺部１０ａの壁状部１２の内側底部には、突条１４が突設されている。さらに、壁状部１２の長辺部１０ａの内側中間には、複数対の係止部１５と少なくとも一対の係止片１６とが突設されている。係止片１５は角柱状の凸部とされ、係止片１６は舌片状に突設されるが、形状を特定するものではない。また、受枠１０には、必要に応じて格子状の安全柵（図示せず）が着脱自在に取り付けられている。
【００３４】
一方、蓋２０は、一列に配列される１枚の第１の蓋体２１と、３枚の第２の蓋体２２ａとによって構成されている。ただし、第１の蓋体２１を２枚以上、第２の蓋体２２ａを１枚、２枚あるいは４枚以上としてもよい。また、第１の蓋体２１は、両端に施錠手段３０が備えられている。一方、第２の蓋体２２ａは、両端部２３ａに被係止部２４ａが外向きに設けられており、第１の実施形態における被係止部２４ａは、前記係止部１５とほぼ同じ幅の突出部２４ａによって形成されている。
【００３５】
そして、第１の蓋体２１も第２の蓋体２２ａも、開口部１１を幅方向に塞ぐ矩形状の基板２５と、この基板２５の周囲を取り囲む長辺側の一対の側板２６および短辺側の両端部２３ａに設けられた一対の端板２３ａとによって桝形状に一体成形されている。すなわち、側板２６と端板２３ａの底側に基板２５が設けられ、側板２６、端板２３ａおよび基板２５によって囲まれる空間部内にインターロッキングブロックのような詰め部材（図示せず）が充填される。
【００３６】
なお、この長尺開口用マンホールの設置場所の状況により、詰め部材を充填する必要がない場合は、側板２６および端板２３ａの上端に基板２５を設け、空間部を形成しないようにしてもよい。
【００３７】
そして、第１の蓋体２１と第２の蓋体２２ａは、端板２３ａが側板２６の端縁よりもわずかに内側に設けられている。したがって、各側板２６の端部のみが前記受枠１０に突設された突条１４上に架け渡されて支承される。すなわち、開口部１１の幅を大きくするため、突条１４は、幅狭に形成され、端板２３ａを支承しない。ただし、突条１４は、大きな荷重に耐えられるように幅広に形成し、端板２３ａを支承するようにしてもよい。
【００３８】
また、端板２３ａが側板２６の端縁よりもわずかに内側に設けられることにより、第１の蓋体２１と第２の蓋体２２ａが受枠１０に嵌め込まれたときに、端板２３ａと受枠１０の壁状部１２との間に間隔が空けられるため、この間隔を埋める縁板２７が端板２３ａの上端に設けられている。そして、各端板２３ａの内側の中心には、基板２５の中心に向かって、蓋吊り具（図示せず）に引っ掛けられる係止孔２８を設けた膨出部２９が形成されている。この膨出部２９の上面は、前記縁板２７と同一面とされている。なお、膨出部２９は、側板２６の四隅に形成してもよい。
【００３９】
そして、第１の蓋体２１には、この膨出部２９に隣接した端板２３ａに一対の施錠手段３０が備えられている。施錠手段３０には、図２示すように、シリンダ３１内に回転軸３２が貫通し、この回転軸３２の下端部に鉤形状の突片３３が備えられている。そして、回転軸３２を回転させ、突片３３が受枠１０の長辺部１０ａの方を向くと、突片３３が前記係止片１６の下側に位置し、第１の蓋体２１が持ち上げられず、受枠１０から取り外すことができないようにされている。したがって、第１の蓋体２１が受枠１０に嵌め込まれた状態において、係止片１６は、受枠１０の長辺部１０ａの方に向いた突片３３の上側に位置するように受枠１０の壁状部１２に設けられている。
【００４０】
一方、第２の蓋体２２ａは、図３および図４に示すように各端部２３ａである各端板２３ａの外側の中心に突出部２４ａが外向きに設けられている。この突出部２４ａの先端面は、前記側板２６の端縁および縁板２７の端縁とほぼ同一面、すなわち同一面またはわずかに奥まって突出している。したがって、突出部２４ａが受枠１０の壁状部１２に衝突することなく、第２の蓋体２２ａを受枠１０内に嵌め込むことができる。
【００４１】
そして、前記係止部１５は、受枠１０に嵌め込まれた第２の蓋体２２ａの突出部２４ａの上側に位置するように受枠１０の壁状部１２に設けられている。突出部２４ａが端板２３ａの中心に設けられることにより、係止部１５は受枠１０の壁状部１２に等間隔に設けられる。また、この係止部１５に隣接して、施錠手段３０の突片３３の上側に位置する係止片１６を等間隔に設けてもよい。ただし、係止片１６は、例えば受枠１０の任意の場所、例えば図示したように短辺部１０ｂに近接して一対のみ設けてもよい。
【００４２】
この長尺開口用マンホールは、このように構成され、次に、開口部１１を開閉するため蓋２０を着脱する方法について説明する。
【００４３】
受枠１０の内側の長尺な開口部１１は、図１に示すように、１枚の第１の蓋体２１と３枚の第２の蓋体２２ａとが受枠１０に嵌め込まれることによって塞がれている。第１の蓋体２１は、係止片１６が等間隔に設けられていれば、図示したように受枠１０の短辺部１０ｂに接合する位置に嵌め込む他、中間に嵌め込むこともできる。
【００４４】
いずれにしても、第１の蓋体２１は、図２に示すように施錠手段３０によって施錠されることにより、施錠手段３０の突片３３の上側に受枠１０の係止片１６が位置しているため、持ち上げられず、受枠１０から取り外されない。また、第２の蓋体２２ａは、図３に示すように、突出部２４ａの上側に係止部１５が位置して係止した状態となっているため、持ち上げられず、受枠１０から取り外されない。
【００４５】
しかし、施錠手段３０が操作され、突片３３が係止片１６から外れて開錠されると、蓋吊り具を係止孔２８に引っ掛け、第１の蓋体２１は、持ち上げられることにより、受枠１０から取り外される。係止孔２８が第１の蓋体２１の両端の中心に形成されていることにより、第１の蓋体２１はバランスよく持ち上げられる。
【００４６】
そして、図５に示すように、第１の蓋体２１と隣接していた第２の蓋体２２ａをわずかにスライドさせ、突出部２４ａの上側に係止部１５が位置しないようにする。この第２の蓋体２２ａは、係止孔２８に蓋吊り具が引っ掛けられて、図５（ｂ）の仮想線に示すように持ち上げられ、受枠１０から取り外される。したがって、第２の蓋体２２ａは、突出部２４ａが係止部１５から外れる分、あるいはそれ以上スライドさせることにより、極めて容易に取り外すことができる。
【００４７】
続いて、この取り外された第２の蓋体２２ａに隣接していた第２の蓋体２２ａもスライドさせ、上方に持ち上げることによって取り外す。このようにして、第１の蓋体２１と第２の蓋体２２ａは、極めて容易に受枠１０から取り外すことができ、開口部１１が開けられる。
【００４８】
逆に、開口部１１を塞ぐときは、第２の蓋体２２ａの突出部２４ａが係止部１５に衝突しない位置で第２の蓋体２２ａを受枠１０に嵌め込む。係止部１５は、端板２３ａの中心に設けられていることにより、点対称に位置しているため、向きを考慮せずに受枠１０に嵌め込むことができる。そして、この第２の蓋体２２ａをスライドさせ、突出部２４ａが係止部１５の下側に位置するようにする。
【００４９】
続いて、他の２枚の第２の蓋体２２ａも受枠１０に嵌め込む。最後に、第１の蓋体２１を受枠１０に嵌め込み、施錠手段３０を操作し、係止片１６の下側に突片３３が位置するように施錠すると、前記のように第１の蓋体２１と第２の蓋体２２ａとは受枠１０から取り外されることがない。
【００５０】
次に、本発明に係る長尺開口用マンホールの第２の実施形態について図１および図６ないし図８を参照しながら説明する。ただし、第１の実施形態と同一に相当する部分は同一符号を付して説明する。
【００５１】
この長尺開口用マンホールは、第１の実施形態と同じく図１に示すように、矩形状に形成された受枠１０と、この受枠１０に嵌め込まれる蓋２０とを備え、蓋２０は一列に配列される１枚または複数枚の第１の蓋体２１と３枚または任意の枚数の第２の蓋体２２ｂとによって構成されている。なお、図１に示す第２の蓋体２２ａは、第２の実施形態においては図６に示すような第２の蓋体２２ｂに置き換えられる。
【００５２】
この第２の蓋体２２ｂは、図６ないし図８に示すように、開口部１１を幅方向に塞ぐ矩形状の基板２５と、この基板２５の周囲を取り囲む長辺側の一対の側板２６および短辺側の両端部２３ｂに設けられた一対の端板２３ｂとによって桝形状に一体成形されている。すなわち、側板２６と端板２３ｂの底側に基板２５が設けられ、側板２６、端板２３ｂおよび基板２５によって囲まれる空間部内にインターロッキングブロックのような詰め部材（図示せず）が充填される。
【００５３】
なお、この長尺開口用マンホールの設置場所の状況により、詰め部材を充填する必要がない場合は、側板２６および端板２３ｂの上端に基板２５を設け、空間部を形成しないようにしてもよい。
【００５４】
そして、第２の実施形態における第２の蓋体２２ｂは、第１の実施形態と異なり、端板２３ｂが側板２６の端縁に設けられている。この端板２３ｂには、被係止部２４ｂが設けられるが、この被係止部２４ｂは、第２の実施形態においては係止部１５が入り込む溝部２４ｂによって形成される。この溝部２４ｂは、図示したような下向きＵ字形とされる他、下向きＬ字形などのように、端板２３ｂの下端縁から上向きに設けられた縦方向の溝部２４ｃと、この縦方向の溝部２４ｃに連続する横方向の溝部２４ｄとを有している。このような溝部２４ｂ内に係止部１５が入り込むように、係止部１５を誘導し、かつ、溝部２４ｂを形成する案内部２４ｅが端板２３ｂに下縁で溝部２４ｂに囲まれるように形成されている。
【００５５】
このような端板２３ｂが側板２６の端縁に設けられることにより、この第２の実施形態における第２の蓋体２２ｂには、第１の実施形態において設けられた縁板がなく、容易に成形することができるようにされている。ただし、第２の実施形態における第２の蓋体２２ｂは、端板２３ｂに係止孔２８を設けた膨出部２９が形成されるなどの構成は、第１の実施形態と同じである。
【００５６】
次に、受枠１０内の開口部１１を開閉するため、蓋２０を着脱する方法について説明する。第１の蓋体２１と第２の蓋体２２ｂとが受枠１０に嵌め込まれ、開口部１１が塞がれている状態においては、図７および図８に示すように、受枠１０の係止部１５が第２の蓋体２２ｂに設けられた横方向の溝部２４ｄ内に位置している。この係止部１５の下側には、案内部２４ｅが対向しているため、第２の蓋体２２ｂを持ち上げようとしても、案内部２４ｅが係止部１５に衝止され、第２の蓋体２２ｂは受枠１０から取り外すことができない。
【００５７】
そして、第１の蓋体２１の施錠手段３０が操作され、突片３３が係止片１６から外れて開錠されると、第１の蓋体２１は持ち上げられ、受枠１０から取り外されることにより、第２の蓋体２２ｂをスライドさせることができる。ただし、第２の蓋体２２ｂは、係止部１５が横方向の溝部２４ｄ内で相対的に移動することができるのみ横方向にスライドすることができる。
【００５８】
続いて、第２の蓋体２２ｂを持ち上げると、係止部１５が縦方向の溝部２４ｃ内で相対的に移動することができるため、第２の蓋体２２ｂは受枠１０から取り外される。このようにして、複数枚の第２の蓋体２２ｂは、受枠１０から次々と取り外され、開口部１１が開けられる。
【００５９】
逆に、開口部１１を塞ぐときは、縦方向の溝部２４ｃが係止部１５と対向する位置から第２の蓋体２２ｂを受枠１０に嵌め込む。すると、係止部１５が相対的に縦方向の溝部２４ｃ内に入り込む。そして、第２の蓋体２２ｂをスライドさせ、係止部１５を横方向の溝部２４ｄ内に入れ込まれると、前記のように第２の蓋体２２ｂは、受枠１０から持ち上げられなくなる。また、第１の蓋体２１も受枠１０に嵌め込み、施錠することにより、第１の蓋体２１と第２の蓋体２２ｂが受枠１０から取り外されることがない。
【００６０】
本発明は、前記の実施形態に限定することなく、特許請求の範囲に記載された発明特定事項の範囲内において種々変更することができる。例えば、この長尺開口用マンホールは、共同溝に連通する地面に設置されるだけでなく、地下室に連通する地面に設置し、あるいは、各種の処理池を覆うために設置することもできる。
【００６１】
また、受枠１０の壁状部１２は、突条１４に加え、わずかに上向きに傾斜したテーパ面を形成し、蓋の側板２６の端縁や端板２３ａ,２３ｂがこのテーパ面と接合するようにわずかに下向きに傾斜するようにしてもよい。
【００６２】
また、施錠手段３０は、前記の実施形態のように第１の蓋体２１の端板２３ａに備えられないで、側板２６に１個または複数個備えられるようにしてもよい。この場合は、係止片１６は、施錠手段３０の突片３３と対向するように受枠１０の短辺部１０ｂに設けられる。
【００６３】
また、突出部による被係止部２４ａも溝部による被係止部２４ｂも、前記の実施形態のように端板２３ａ,２３ｂの中心に１箇所だけ設けないで、複数設けてもよい。被係止部２４ａ，２４ｂが２箇所や４箇所のようなペアで設けられと、施錠手段３０は、端板２３ａ,２３ｂの中心に備えることができる。そして、係止部１５と係止片１６が受枠１０の長辺部長辺部１０ａに等間隔に複数設けられることにより、第１の蓋体２１と第２の蓋体２２ａ，２２ｂを受枠１０の任意の位置に嵌め込むようにすることができる。
【図面の簡単な説明】
【００６４】
【図１】本発明に係る長尺開口用マンホールの第１の実施形態であって、（ａ）は平面図、（ｂ）は（ａ）のＡ−Ａ線断面図である。
【図２】本発明に係る長尺開口用マンホールの第１の実施形態であって、図１のＢ−Ｂ線断面図である。
【図３】本発明に係る長尺開口用マンホールの第１の実施形態であって、図１のＣ−Ｃ線断面図である。
【図４】本発明に係る長尺開口用マンホールの第１の実施形態であって、要部を示す一部断面分解斜視図である。
【図５】本発明に係る長尺開口用マンホールの第１の実施形態であって、（ａ）は蓋を開閉している途中の平面図、（ｂ）は（ａ）のＤ−Ｄ線断面図である。
【図６】本発明に係る長尺開口用マンホールの第２の実施形態であって、要部を示す一部断面分解斜視図である。
【図７】本発明に係る長尺開口用マンホールの第２の実施形態であって、第２の蓋体を示す正面図である。
【図８】本発明に係る長尺開口用マンホールの第２の実施形態であって、受枠に嵌めこまれた第２の蓋体を示す側面断面図である。
【符号の説明】
【００６５】
１０……受枠
１０ａ…長辺部
１０ｂ…短辺部
１４……突条
１５……係止部
１６……係止片
２０……蓋
２１……第１の蓋体
２２ａ…第２の蓋体
２２ｂ…第２の蓋体
２３ａ…端部（端板）
２３ｂ…端部（端板）
２４ａ…被係止部（突出部）
２４ｂ…被係止部（溝部）
２４ｃ…縦方向の溝
２４ｄ…横方向の溝
２６……側板
３０……施錠手段
３３……突片
【図１】
2006307443.tif 000003
【図２】
2006307443.tif 000004
【図３】
2006307443.tif 000005
【図４】
2006307443.tif 000006
【図５】
2006307443.tif 000007
【図６】
2006307443.tif 000008
【図７】
2006307443.tif 000009
【図８】
2006307443.tif 000010